(57)【要約】【課題】本発明は、一対の脚柱と横架材からなり門形をした複数の建枠を筋違で連結し、前記横架材に踏板を載置して足場ユニットとなし、当該足場ユニットを上下左右方向に連結した足場を組立または解体するに際し、当該足場の脚柱の最上段に取り付け、親綱および／または伸縮手摺を設置するための足場用先行支柱に関する。【解決手段】足場用先行支柱を、親綱および／または伸縮手摺を取り付ける支柱部と、横架材に載嵌して固定する横架材固定ボックスと、足場の脚柱を抱持し、前記横架材部を通過して上下自在にスライドしてなるフレーム部と、から構成する。【選択図】      図１
2004225249.tif 000002
【特許請求の範囲】
【請求項１】
一対の脚柱と横架材からなり門形をした複数の建枠を筋違で連結し、前記横架材に踏板を載置して足場ユニットとなし、当該足場ユニットを上下左右方向に連結した足場を組立または解体するに際し、当該足場の脚柱の最上段に取り付け、親綱および／または伸縮手摺を設置するための足場用先行支柱であって、
親綱および／または伸縮手摺を取り付ける支柱部と、
横架材に載嵌して固定する横架材固定ボックスと、
足場の脚柱を抱持し、前記横架材部を通過して上下自在にスライドしてなるフレーム部と、
を有してなることを特徴とする足場用先行支柱。
【請求項２】
前記フレーム部内の複数位置に、一体的に組み立ててなるギヤとガイドを対として対向配置して前記脚柱を抱持させ、かつ、
当該ギヤの歯形を、前記横架材の断面形状に沿う形状として、自在に横架材部を通過できるようにしたことを特徴とする請求項１に記載の足場用先行支柱。
【請求項３】
前記ギヤが十字状ギヤであり、
前記の一体的に組み立ててなるギヤとガイドの間に、さらに、正四角柱形状のスペーサを、該スペーサの面と前記ギヤの突出部とが一致するように配し、かつ、該スペーサを押圧する板ばねを具備してなることを特徴とする請求項２に記載の足場用先行支柱。
【発明の詳細な説明】
【０００１】
【発明の属する技術分野】
本発明は、建設現場などで使用される足場を組立または解体するに際し、高所作業者の転落事故防止のために、足場の最上段に設けられる親綱および／または伸縮手摺を支持する足場用先行支柱に関するものである。
【０００２】
【従来の技術】
建設現場などで使用される足場は、一対の脚柱と横架材からなり門形をした複数の建枠を筋違で連結し、建枠の頂部となる横架材に踏板を載置した足場ユニットを建設現場の横幅と高さに応じて上下左右に連結して構成する。
ところで、最上段以外の踏板に立って作業するときは、建枠を連結している筋違が安全柵の役目を果たすが、組立または解体のために最上段の踏板に立って作業するときには、未だ筋違が取り付けられる前であり、あるいは、筋違を取り外した後であり、その転落事故防止のために、最上段での作業に対する安全対策を講じる必要がある。
【０００３】
従来から行われている転落事故防止のための安全対策は、例えば、足場の最上段の両端に位置する建枠に支柱を立て、その支柱間に１本のロープを張設して親綱とするものがある。作業者は、この親綱に自らに取り付けた安全帯の移動用滑車を取り付けて作業を行う。
また、親綱に代えて、別途、足場ユニットとほぼ同じ横幅の安全柵をあらかじめ用意しておき、この安全柵を取り付けることも行われている。
【０００４】
一方、特許文献１には、建枠の脚柱に取り付けた固定金具によって着脱可能に固定される複数本の垂直方向の手摺柱と、この手摺柱を連結する水平方向の伸縮手摺で構成し、組立解体時において、手摺柱を固定金具に沿って上下することで、手摺柱に連結された伸縮手摺を先行手摺とする「枠組足場の先行手摺」が開示されている。そして、枠組足場の組立解体時の安全効果が高くて簡便な操作で設置でき、しかも枠組足場の組立が完了した後に最上段の踏板の側部に設置される安全柵の役目も果たすことができるとしている。
【０００５】
【特許文献１】
特開２００１−２８８８８３  号公報
【０００６】
【発明が解決しようとする課題】
しかしながら、親綱は、足場ユニットの上下の段数が変わるたびに支柱を脚柱から工具を使って外さなければならず、煩雑な手間が必要となる。
また、安全柵をあらかじめ用意しておき、この安全柵を取り付けることも、作業性が悪く、コストが高くつくという問題があった。
【０００７】
さらに、特許文献１に記載の「枠組足場の先行手摺」では、足場の段数が変わる毎に建枠の脚柱に固定金具を取り付け直す必要があり、作業が煩雑となる。
本発明は、足場ユニットの上下の段数が変わっても、そのまま利用することが可能であり、足場の最上段での親綱および／または伸縮手摺の簡便な提供を可能とする足場用先行支柱に関するものであり、足場の組立または解体に際しての作業の安全に大きく資するものである。
【０００８】
【課題を解決するための手段】
本発明は、一対の脚柱と横架材からなり門形をした複数の建枠を筋違で連結し、前記横架材に踏板を載置して足場ユニットとなし、当該足場ユニットを上下左右方向に連結した足場を組立または解体するに際し、当該足場の脚柱の最上段に取り付け、親綱および／または伸縮手摺を設置するための足場用先行支柱であって、親綱および／または伸縮手摺を取り付ける支柱部と、横架材に載嵌して固定する横架材固定ボックスと、足場の脚柱を抱持し、前記横架材部を通過して上下自在にスライドしてなるフレーム部と、を有してなることを特徴とする足場用先行支柱によって上記課題を解決した。
【０００９】
また、本発明は、前記フレーム部内の複数位置に、一体的に組み立ててなるギヤとガイドを対として対向配置して前記脚柱を抱持させ、かつ、当該ギヤの歯形を、前記横架材の断面形状に沿う形状として、自在に横架材部を通過できるようにするものである。
さらに、本発明は、前記ギヤが十字状ギヤであり、前記の一体的に組み立ててなるギヤとガイドの間に、さらに、正四角柱形状のスペーサを、該スペーサの面と前記ギヤの突出部とが一致するように配し、かつ、該スペーサを押圧する板ばねを具備してなることを好適とするものである。
【００１０】
【発明の実施の形態】
まず、図１に基づき、本発明の足場用先行支柱の好適な実施の形態について説明する。図１（ａ）は、本発明の足場用先行支柱の正面図であり、同図（ｂ）は、その右側面図である。
本発明の足場用先行支柱１は、親綱および／または伸縮手摺を取り付ける支柱部１ｂと、横架材１１に載嵌して固定する横架材固定ボックス６と、足場の建枠を構成する脚柱１０を抱持し、横架材１１部を通過して上下自在にスライドしてなるフレーム部１ａを有してなる。なお、フレーム部１ａ内部に配してなる、脚柱１０を抱持する脚柱抱持機構２の詳細については後述する。
【００１１】
支柱部１ｂには、親綱を取り付けるためのロープフック４と、伸縮手摺を取り付けるための手摺用ロックピン３が配設されている。また、作業者が足場用先行支柱１を上下し易いように可倒式のハンドル５が設けられている。
作業者は、まず、落下防止用のチェーン８を取り付けたロックピン７を抜いて横架材固定ボックス６を開き、次に、ハンドル５を持って足場用先行支柱１を上下させて横架材１１部を通過して高さ位置を調整し、横架材固定ボックス６を閉じてロックピン７で止め、横架材１１に載嵌して固定する。
【００１２】
図２は、１段目の建枠９の横架材１１に載置した踏板１２上の作業者が、本発明の足場用先行支柱１を持ち上げ、２段目の横架材１１に載嵌して固定しようとしている模式図である。
このようにして本発明の足場用先行支柱１を持ち上げて固定することで、図３に示すように、親綱１５を足場の最上段に配置することができる。また、図４に示すように、伸縮手摺１６を足場の最上段に配置することができる。そして、作業者は、親綱または伸縮手摺によって安全に作業し、踏板を載置し、筋違を取り付ける組み立て作業を行うことができる。また、逆に、筋違を取り外し、次に踏板を取り外してから、本発明の足場用先行支柱１を下降させることで、安全に足場の解体作業を行うことができる。
【００１３】
なお、筋違１３は、脚柱１０から突設するピン（図示せず）に接続して配設されており、このピンの径は横架材の径よりも細いことから、足場用先行支柱１は、横架材１１と同様に、ピンも自在に通過することができる。
次に、図５に、本発明の足場用先行支柱１のフレーム部１ａと横架材固定ボックス６を部分的に拡大して示す。図５は、部分断面図である。
【００１４】
なお、ここでは、対向する脚柱抱持機構２を２対配置した例を示しているが、３対以上配設してもよいことは言うまでもない。
また、ギヤ２１の形状は、十字状とすることを好適とするが、例えば、図６に示すように５角形の星型としてもよく、あるいは３角形、もしくは６角形以上の多角形とすることもできる。但し、通過させる横架材の断面形状にギヤの歯形を沿わせる必要があり、ギヤ数が多いほど径が大きくなり、フレーム部の幅が広くなってしまい不利である。そのため、十字状ギヤが最も好適である。
【００１５】
なお、図７に示すように、フレーム部１ａに内蔵してなる１対の脚柱抱持機構２が脚柱１０を抱持しており、フレーム部１ａが足場用先行支柱１からはずれる心配はない。また、本発明の足場用先行支柱１は、例えば１段目の建枠の脚柱にあらかじめ嵌め込んでおくことで、後は、適宜上下にスライドして用いることができる。ここで、脚柱抱持機構２は、ギヤ２１、スペーサ２２、ガイド２５から一体的に組み立てられる。その内、特にギヤ２１とスペーサ２２の組立図を図８に示す。
【００１６】
図９（ａ）〜（ｄ）に、ギヤ２１を十字状ギヤとした場合に、横架材１１をギヤ２１が通過する様子を示す。図示のように、横架材１１がギヤ２１の歯形にそって自在に通過できる。そのため、本発明の足場用先行支柱を脚柱に抱持させたままで、自在に上下することができるのである。
ここで、フレーム部１ａに取り付けた板ばね２３は、十字状のギヤ２１と一体化した正四角形のスペーサ２２を常に押下しており、ギヤ２１がフリーの状態では、ギヤ２１の位置を図９（ａ）、あるいは、（ｄ）となるようにする。こうすることで、ギヤ２１の位置決めを行い、任意の位置に止まることのないようにすることで、万一の場合にギヤ２１と横架材１１とが噛み合うトラブルを回避できる。
【００１７】
【発明の効果】
本発明の足場用先行支柱の適用により、足場の組立または解体に際しての作業性を向上させ、かつ、簡便に作業の安全性を確保できるようになった。
【図面の簡単な説明】
【図１】本発明の足場用先行支柱の正面図（ａ）と右側側面図（ｂ）である。
【図２】本発明の足場用先行支柱を適用する足場の模式図である。
【図３】足場用先行支柱に親綱適用した例を示す模式図である。
【図４】足場用先行支柱に伸縮手摺を適用した例を示す模式図である。
【図５】本発明の足場用先行支柱のフレーム部を示す部分断面模式図である。
【図６】別のギヤを用いた本発明の足場用先行支柱のフレーム部を示す部分断面模式図である。
【図７】本発明の足場用先行支柱のフレーム部を示す断面模式図である。
【図８】本発明に適用するギヤとスペーサの組立図である。
【図９】脚柱抱持機構が横架材を通過する様子を示す一連の模式図である。
【符号の説明】
１        足場用先行支柱
１ａ    フレーム部
１ｂ    支柱部
２        脚柱抱持機構
３        手摺用ロックピン
４        ロープフック
５        ハンドル
６        横架材固定ボックス
７    ロックピン
８    チェーン
９    建枠
１０        脚柱
１１    横架材
１２    踏板（床板）
１３    筋違
１５    親綱
１６    伸縮手摺
２１、２１ａ    ギヤ
２２    スペーサ
２３    板ばね
２５    ガイド
【図１】
2004225249.tif 000003
【図２】
2004225249.tif 000004
【図３】
2004225249.tif 000005
【図４】
2004225249.tif 000006
【図５】
2004225249.tif 000007
【図６】
2004225249.tif 000008
【図７】
2004225249.tif 000009
【図８】
2004225249.tif 000010
【図９】
2004225249.tif 000011